(57)【要約】【課題】蓄電素子とこれに電源補給する発電機とを備えた給水装置の給電装置において、大電流，大電力を要する負荷の大きな機器をも支障なく駆動できるようにする。【解決手段】電源となる蓄電素子１４と水流で発電する発電機１２とを備えた発電機能付給電装置１０において、発電機１２と電気駆動される所定の機器２２とを電源線１６ａ，１６ｂで直接接続するとともにスイッチ素子２４ａ，２４ｂを設け、それらスイッチ素子２４ａ，２４ｂのオン・オフ動作により発電機１２からの電力を蓄電素子１４を経由せずに機器２２に対し直接供給可能とする。【選択図】        図１
2004225494.tif 000002
【特許請求の範囲】
【請求項１】
電源となる蓄電素子と水流により発電する発電機とを電気的に接続し、該発電機からの電力を該蓄電素子に供給して蓄電するようになした給水装置における発電機能付給電装置において、
前記発電機と電気駆動される所定の機器とを、該発電機からの電力を前記蓄電素子を経由せずに該所定の機器に対し直接供給可能に電源線で接続するとともに、該発電機からの電力を該蓄電素子と該所定の機器とに対し択一的に供給するためのスイッチ手段と、該スイッチ手段のオン・オフ動作を制御して該発電機からの電力を該蓄電素子又は該所定の機器の何れかに供給させる制御部とを設けてあることを特徴とする給水装置における発電機能付給電装置。
【請求項２】
請求項１において、前記所定の機器と前記蓄電素子とが、前記発電機に対し並列接続してあることを特徴とする給水装置における発電機能付給電装置。
【請求項３】
請求項１，２の何れかにおいて、前記所定の機器が、給水路を通じて便器に洗浄水を供給し洗浄する洗浄装置の該給水路開閉用の電気駆動弁であることを特徴とする給水装置における発電機能付給電装置。
【請求項４】
請求項１，２の何れかにおいて、前記所定の機器が、洗浄水タンク内の洗浄水を底部の洗浄弁の開弁動作により該洗浄水タンクから落下排出させて便器に供給し、便器洗浄を行う洗浄装置における該洗浄弁を開弁動作させる電動モータであることを特徴とする給水装置における発電機能付給電装置。
【発明の詳細な説明】
【０００１】
【発明の属する技術分野】
この発明は給水装置における発電機能付きの給電装置に関する。
【０００２】
【従来の技術】
従来より、自動水栓や便器の洗浄装置等給水装置において、水流で水車を回転させて発電を行う発電機と、発電機からの電力を蓄える蓄電池，コンデンサ等の蓄電素子とを備え、その蓄電素子を電源として電磁弁等電気的に駆動される機器に給電を行い、それら機器を駆動するようになした給電装置が広く用いられている。
【０００３】
図１１は自動水栓の場合の例で、図中２００は手洗器２０２の上面に起立する形態で設けられた、自動水栓２０４における吐水部で、２０６はその吐水部２００から離隔した位置に設けられた本体機能部である。
吐水部２００には、吐水口２０８とその近傍においてセンサ２１０とが設けられており、手を差し出すとセンサ２１０がこれを検知して吐水口２０８から自動吐水するようになっている。
【０００４】
本体機能部２０６はボックス２１２を有していて、その内部に給水元管２１４から給水チューブ２１６を経て吐水部２００に到る給水路を開閉するための電磁弁（電気駆動弁）２１８と、給水路の水流により水車を回転させ発電を行う発電機２２０とが収容されている。
更にまたボックス２１２の内部には、制御部としてのマイコン２２２を搭載した基板２２４が収容されている。
尚、同図において２２６は本体機能部２０６と吐水部２００とを連絡する電源線，信号線等の電気配線の配線コードである。
【０００５】
図１１（Ｂ）に、この自動水栓２０４における発電機能付きの給電装置の構成が示してある。
同図に示しているように給電装置２２７は蓄電池，コンデンサ等の蓄電素子２２８を備えており、発電機２２０からの交流出力が整流回路２３０で直流に変換された上で、この蓄電素子２２８に供給され、発電機２２０からの電力が蓄電素子２２８に蓄電される。
【０００６】
蓄電素子２２８は電源となるもので、この蓄電素子２２８に対しマイコン２２２と電磁弁２１８とが電源線２３１で接続され、それぞれに対し蓄電素子２２８から電源供給（給電）されるようになっている。
またマイコン２２２と電磁弁２１８とは信号線２３２で接続され、電磁弁２１８がマイコン２２２にて動作制御されるようにっている。
【０００７】
この種給電装置の例が下記特許文献１にも開示されている。
この特許文献１の給電装置では、発電機からの交流出力を整流回路で整流した上で、電源となる蓄電素子としてのコンデンサに蓄え、そしてその後段に電圧変換回路，ソレノイド通電回路及びソレノイドを接続して、それらに対しコンデンサから電源供給（給電）するようになしている。
【０００８】
図１１（Ｂ）の自動水栓２０４における給電装置２２７，特許文献１に開示の給電装置に見られるように、従来のこの種給電装置は、発電機で発生した電力を一旦蓄電素子に蓄え、そしてこれを電源として電磁弁等の各種機器に電源供給し、即ち発電機からの電力を蓄電素子を経由して各種機器に供給し、これを駆動するといったものであった。
【０００９】
【特許文献１】
特開２００１−２０７４９８号公報
【００１０】
【発明が解決しようとする課題】
このように従来の給電装置は、発電機からの電力を一旦蓄電素子に蓄え、これを電源として電磁弁等の各種機器を駆動するようになし、発電機は専ら蓄電素子に対する電力補給用のものとして考えられていた。
【００１１】
しかしながらモータ等比較的大電流，大電力を要する負荷の大きな機器を駆動しようとしたとき、電源としての蓄電素子からの電流，電力供給が不十分となって、従来の給電装置ではかかるモータ等負荷の大きな機器を十分に駆動することが困難であった。
【００１２】
またたとえ蓄電素子を電源としてモータ等を駆動することが可能であったとしても、例えば給水装置を比較的長時間使用しなかったとき、コンデンサ等蓄電素子がその間に放電してしまって、給水装置使用初期にモータ等を駆動しようとしたとき、発電機で発生した電力が蓄電素子への蓄電のために使われてしまってモータ等に十分供給されず、かかるモータ等の駆動を応答良く行うことが困難である等の問題もあった。
【００１３】
【課題を解決するための手段】
本発明はこのような課題を解決するために案出されたものである。
而して請求項１のものは、電源となる蓄電素子と水流により発電する発電機とを電気的に接続し、該発電機からの電力を該蓄電素子に供給して蓄電するようになした給水装置における発電機能付給電装置において、前記発電機と電気駆動される所定の機器とを、該発電機からの電力を前記蓄電素子を経由せずに該所定の機器に対し直接供給可能に電源線で接続するとともに、該発電機からの電力を該蓄電素子と該所定の機器とに対し択一的に供給するためのスイッチ手段と、該スイッチ手段のオン・オフ動作を制御して該発電機からの電力を該蓄電素子又は該所定の機器の何れかに供給させる制御部とを設けてあることを特徴とする。
【００１４】
請求項２のものは、請求項１において、前記所定の機器と前記蓄電素子とが、前記発電機に対し並列接続してあることを特徴とする。
【００１５】
請求項３のものは、請求項１，２の何れかにおいて、前記所定の機器が、給水路を通じて便器に洗浄水を供給し洗浄する洗浄装置の該給水路開閉用の電気駆動弁であることを特徴とする。
【００１６】
請求項４のものは、請求項１，２の何れかにおいて、前記所定の機器が、洗浄水タンク内の洗浄水を底部の洗浄弁の開弁動作により該洗浄水タンクから落下排出させて便器に供給し、便器洗浄を行う洗浄装置における該洗浄弁を開弁動作させる電動モータであることを特徴とする。
【００１７】
【作用及び発明の効果】
以上のように本発明は、発電機からの電力を蓄電素子を経由しないで直接電気駆動される所定の機器に供給可能となすとともに、発電機からの電力を蓄電素子と機器とに対し択一的に供給するためのスイッチ手段、及びそのスイッチ手段のオン・オフ動作を制御して蓄電素子又は機器の何れかに電力供給させる制御部とを設けたもので、本発明によれば、モータ等大電流，大電力を要する負荷の大きな機器であっても、コンデンサ等の蓄電素子を経由しないで発電機からの電力を直接供給できるため、そのような負荷の大きな機器であっても支障なくこれを駆動し働かせることが可能となる。
【００１８】
本発明においては、蓄電素子をバイパスするようにして電源線を設けておき、スイッチ手段によって発電機から蓄電素子への電力供給を遮断して、機器に対し直接電力供給するようになすこともできるが、請求項２に従い、機器と蓄電素子とを発電機に対し電源線で並列接続しておくようになすことができる（請求項２）。
【００１９】
本発明においては、給水路を通じて便器に洗浄水を供給し洗浄する洗浄装置の給水路開閉用の電気駆動弁を上記所定の機器となすことができる（請求項３）。この場合、負荷の大きな電気駆動弁であっても、発電機で発生した電力により、発電機自体を電源として支障なくこれを駆動し、便器洗浄を行うことが可能となる。
【００２０】
或いはまた、洗浄水タンク内の洗浄水を底部の洗浄弁の開弁動作により洗浄水タンクから落下排出させて便器に供給し、便器洗浄を行う洗浄装置における、洗浄弁の開弁動作用の電動モータを上記所定の機器となすことができる（請求項４）。
この場合においても負荷の大きな電動モータを発電機自体を電源として支障なく駆動することができる。
【００２１】
【実施例】
次に本発明の実施例を図面に基づいて詳しく説明する。
図１は本発明の一実施例の給電装置を示したもので、図中１２は本実施例の給電装置１０に備えられた発電機である。発電機１２は水流で水車を回転させて発電を行う。
【００２２】
１４は給電装置１０における電源となる蓄電素子で、電源線１６ａにて整流回路１８を介し発電機１２と接続されている。
整流回路１８は、発電機１２からの交流出力を整流し直流に変換するもので、発電機１２からの交流出力は整流回路１８を通じ直流に変換された上で蓄電素子１４に供給され、そこに蓄電される。
２０は制御部としてのマイコンで、電源線１６ａにて蓄電素子１４と接続されており、蓄電素子１４からの電源供給により駆動されて動作する。
【００２３】
２２は電動モータ等比較的大電流，大電力を要する負荷の大きな機器で、この例では電源線１６ｂにて整流回路１８を介し、発電機１２に対し蓄電素子１４と並列的に接続され、発電機１２で発生した電力が蓄電素子１４を経由せずに電源線１６ｂを通じ機器２２へと直接供給（給電）可能とされている。
【００２４】
２４ａ，２４ｂは発電機１２から蓄電素子１４，機器２２への電力の供給・遮断をなすスイッチ素子で、それぞれがマイコン２０と信号線２６ａ，２６ｂで接続されており、マイコン２０の制御の下でオン・オフ動作する。
【００２５】
この例においてマイコン２０は、蓄電素子１４と機器２２とに対し択一的に発電機１２からの電力が供給されるように、それらスイッチ素子２４ａ，２４ｂをオン・オフ動作制御する。
即ち、蓄電素子１４に対し電力供給する際にはスイッチ素子２４ａをオン動作、スイッチ素子２４ｂをオフ動作させ、また機器２２に対し電力供給する際にはスイッチ素子２４ａをオフ動作、スイッチ素子２４ｂをオン動作させる。
【００２６】
尚、図２に示しているように蓄電素子１４と機器２２とを電源線１６ａにて接続し、発電機１２からの電力を蓄電素子１４を経由して、電源線１６ａを通じ機器２２に供給するようになし、かかる蓄電素子１４を電源として機器２２を駆動するといったことも可能である。
【００２７】
この場合例えばスイッチ素子２４ｃ，信号線２６ｃを別途に設けておいて、スイッチ素子２４ａ，２４ｃをオン動作、２４ｂをオフ動作させて、発電機１２から蓄電素子１４を経由して電源線１６ａを通じ機器２２に電力供給したり、或いはスイッチ素子２４ａ，２４ｃをオフ動作、スイッチ素子２４ｂをオン動作させて、発電機１２から蓄電素子１４を経由しないで電源線１６ｂを通じ直接機器２２に電力供給したりする。
【００２８】
図３及び図４は、図１の給電装置１０を便器の洗浄装置における給電装置として具体的に適用した例を示している。
図３において２８は便器で、上端周縁に沿ってリム３０を有している。
リム３０の内部にはリム水路３２が形成されており、またリム３０の下端面にはリム水路３２に連通する射水孔３４が周方向に所定間隔で形成されており、リム水路３２に導かれた洗浄水がそれら射水孔３４から便器２８内部に勢い良く射水され、これによって便器洗浄されるようになっている。
【００２９】
３６は排水トラップ部３８に向けて洗浄水を勢い良く噴射するジェット噴射孔で、このジェット噴射孔３６からの洗浄水の噴射によって排水トラップ部３８が満水化し、サイホン作用が助勢される。
【００３０】
４０は便器２８に対して洗浄水を給水する主給水路で、この主給水路４０上に発電機１２が設けられている。
主給水路４０は、発電機１２の下流側でリム給水路４０Ｒとジェット給水路４０Ｊとに分岐しており、それぞれを通じてリム水路３２及びジェット噴射孔３６に洗浄水が供給される。
【００３１】
リム給水路４０Ｒとジェット給水路４０Ｊとのそれぞれには、各給水路を開閉する電気駆動弁としての第１電磁弁４２と第２電磁弁４４とが設けられており、それぞれの開閉動作によって、リム水路３２とジェット噴射孔３６とに洗浄水が供給又は供給遮断される。
【００３２】
本例の給電装置１０の場合、蓄電素子１４と第１電磁弁４２及び第２電磁弁４４とに対し、発電機１２からの電力供給を択一的に行う。
詳しくは、図４にも示しているように蓄電素子１４と第１電磁弁４２及び第２電磁弁４４とを電源線１６ａと１６ｂ−１及び１６ｂ−２とにより、整流回路１８を介して発電機１２に対し並列接続した上で、蓄電素子１４，第１電磁弁４２，第２電磁弁４４への電力供給・遮断をなすスイッチ素子２４ａ，２４ｂ−１，２４ｂ−２を設け、更にそれらスイッチ素子２４ａ，２４ｂ−１，２４ｂ−２とマイコン２０とを信号線２６ａ，２６ｂ−１，２６ｂ−２で接続している。
【００３３】
そしてスイッチ素子２４ａをオン動作、スイッチ素子２４ｂ−１及び２４ｂ−２をオフ動作させることによって、蓄電素子１４に電力供給し、第１電磁弁４２及び第２電磁弁４４に対する電力供給を遮断する一方、第１電磁弁４２及び第２電磁弁４４に電力供給する際には、スイッチ素子２４ａをオフ動作、スイッチ素子２４ｂ−１及び２４ｂ−２をオン動作させて、蓄電素子１４への電力供給を遮断するようにしている。
【００３４】
尚、第１電磁弁４２と第２電磁弁４４とには、マイコン２０から信号線２６ｄ−１，２６ｄ−２を通じて駆動信号が供給され、その駆動信号によって第１電磁弁４２及び第２電磁弁４４が駆動される。
【００３５】
本例において第１電磁弁４２は、後に詳述する起動弁６０付きの且つラッチ式の電磁弁として構成されており、また第２電磁弁４４は、そのような起動弁を有しない通常のラッチ式の電磁弁として構成されている。
ここでラッチ式の電磁弁とは、開弁後において開弁状態を、また閉弁後において閉弁状態をそれぞれ保持（ラッチ）する電磁弁である。
【００３６】
ここで起動弁６０付きの電磁弁である第１電磁弁４２は、起動弁６０を手動操作することによって給電を行わなくても弁が開き、リム給水路４０Ｒに水流を生ぜしめて給水を行う一方、給電により弁を閉じてリム給水路４０Ｒを遮断するもので、このような起動弁６０付きの第１電磁弁４２を備えた、本例の給水装置としての便器２８の洗浄装置は次のような動作を行う。
【００３７】
即ち起動弁６０を手動操作することによって第１電磁弁４２が開弁動作し、且つ開弁後においてその開弁状態を保持することによって、主給水路４０及びリム給水路４０Ｒを通じて便器２８のリム水路３２に洗浄水が供給され、便器２８のリム洗浄が行われる。
このとき発電機１２はその水流によって発電を行い、発生した電力を蓄電素子１４，第１電磁弁４２及び第２電磁弁４４に供給する。
【００３８】
この例の場合、リム水路３２を通じて便器２８を一定時間かけてリム洗浄した後、第１電磁弁４２に給電してこれを閉弁動作させ、そして第２電磁弁４４に給電してこれを開弁動作させて、主給水路４０からの洗浄水をリム給水路４０Ｒからジェット給水路４０Ｊに切り替え、ジェット噴射孔３６に給水する。
そしてそのジェット噴射孔３６から排水トラップ部３８に向けて洗浄水をジェット噴射し、便器２８をジェット洗浄する。
【００３９】
そしてそのジェット洗浄を一定時間かけて行ったところで、次に第２電磁弁４４を給電により閉弁動作させ、ここにおいて便器洗浄を終了する（又はその後再び第１電磁弁４２を給電により一定時間開弁させてリム洗浄を行った後、便器洗浄を終了する）。
【００４０】
図５に第１電磁弁４２の具体的構成が示してある。
同図において４５は第１電磁弁４２における内部水路で、この内部水路４５上に、ダイヤフラムから成る主弁体４６が開閉可能に配設されている。
【００４１】
主弁体４６は弁座４８に着座することによって内部水路４５を遮断し、また弁座４８から図中上向きに離間することによって内部水路４５を開放する。
即ち、主弁体４６が弁座４８に着座することによって上流側内部水路４５ａと下流側内部水路４５ｂとを遮断し、また主弁体４６が弁座４８から図中上向きに離間することによって、それら上流側内部水路４５ａと下流側内部水路４５ｂとを連通させる。
【００４２】
５０は主弁体４６の背面に形成された背圧室で、主弁体４６は通常時はこの背圧室５０内の水圧により弁座４８に着座した状態、即ち閉弁状態に保持される。
この背圧室５０は主弁体４６に形成された小孔５２を通じて上流側内部水路４５ａと連通した状態にあり、この上流側内部水路４５ａの水（洗浄水）が、この小孔５２を通じて背圧室５０に導入されるようになっている。
【００４３】
この例の第１電磁弁４２にあっては、この背圧室５０内の水を下流側内部水路４５ｂへと抜くための第１水抜水路５４と第２水抜水路５６とが設けられており、そしてその第１水抜水路５４上に、これを開閉するパイロット弁としてのプランジャ弁体５８が設けられており、更に第２水抜水路５６上にこれを開閉する起動弁６０が設けられている。
【００４４】
この起動弁６０には、弁開操作を行うための操作力を入力する棒状の手動操作部６２が、外部に突き出す状態で一体に設けられている。ここで起動弁６０は、スプリング６１によって常時閉弁方向に付勢されている。
尚第２水抜水路５６は、その一部が第１水抜水路５４と共通に構成されている。
【００４５】
上記プランジャ弁体５８は磁性材から成っており、スプリング６３によって常時閉弁方向に付勢されているとともに、ソレノイドコイル６４の電磁的な吸引力によって、スプリング６３の付勢力に抗し開弁動作するようになっている。
【００４６】
プランジャ弁体５８は、開弁後においてラッチマグネット６６の磁気的な吸引力によって開弁状態に保持される。
またその状態においてソレノイドコイル６４に対し開弁時とは逆向きの電流が給電されることで、ソレノイドコイル６４による電磁的な反発力によりプランジャ弁体５８が閉弁動作させられ、そして閉弁動作後においてはスプリング６３の付勢力によってその閉弁状態に保持される。
即ちプランジャ弁体５８は、開弁後において開弁状態を、閉弁後において閉弁状態をそれぞれ保持するものとなっており、開弁動作時と閉弁動作時のみ、ソレノイドコイル６４へ給電が行われることでそれぞれ開弁動作及び閉弁動作する。
【００４７】
第１水抜水路５４は、このプランジャ弁体５８の開弁及び閉弁動作によって、背圧室５０と下流側内部水路４５ｂとを連通させ或いは遮断する。
而して背圧室５０と下流側内部水路４５ｂとが第１水抜水路５４を通じて連通すると、背圧室５０内の水が第１水抜水路５４を通じて下流側内部水路４５ｂへと流れ込み、ここにおいて主弁体４６に対する背圧室５０内の水圧が消失して、主弁体４６が上流側内部水路４５ａの給水圧により開弁動作し、内部水路４５に水流を生ぜしめる。
尚この例において、第２水抜水路５６における起動弁６０の上流側の部分と、第１水抜水路５４におけるプランジャ弁体５８の上流側の部分とは常時連通した状態にある。
【００４８】
この例では、第２水抜水路５６の一部が第１水抜水路５４と共通する形態で設けられているが、第２水抜水路５６を第１水抜水路５４とは全く独立に、背圧室５０と下流側内部水路４５ｂとを連通させる状態で設けることも可能である。
【００４９】
図６〜図８はこの起動弁６０付きの且つラッチ式の第１電磁弁４２の作用を具体的に示したものである。
図６（Ｉ）では主弁体４６，プランジャ弁体５８及び起動弁６０の何れもが閉弁状態にあって、内部水路４５には水流は生じていない。
従ってこの時点では発電機１２は停止した状態にある。
【００５０】
この状態で、図６（ＩＩ）に示しているように起動弁６０に僅かに力を加えてこれを開弁させると、背圧室５０が第２水抜水路５６を通じて下流側内部水路４５ｂと連通した状態となり、背圧室５０内の水がこの第２水抜水路５６を通じて下流側内部水路４５ｂへと流れ込む。
ここにおいて主弁体４６に対する背圧室５０内の水圧が消失して、主弁体４６が図７（ＩＩＩ）に示しているように上流側内部水路４５ａの給水圧により開弁する。
【００５１】
この段階で上流側内部水路４５ａと下流側内部水路４５ｂとは連通した状態となって内部水路４５に水流が生じ、その水流によって発電機１２の水車が回転して発電を開始し、発生した電力が第１電磁弁４２に供給される。
そしてその電力供給及びマイコン２０からの駆動信号により、図７（ＩＶ）に示しているようにプランジャ弁体５８の開弁動作が行われ、第１水抜水路５４が開放状態となる。開弁動作したプランジャ弁体５８はその後開弁状態に保持される。
【００５２】
この状態で起動弁６０に対する操作力を除いても、即ち図８（Ｖ）に示しているように起動弁６０がスプリング６１の付勢力により閉弁動作して第２水抜水路５６を遮断しても、背圧室５０は第１水抜水路５４を通じて下流側内部水路４５ｂと連通した状態に保持されるから、主弁体４６はその後も依然として開弁状態に保持される。
即ち起動弁６０が閉じられても内部水路４５には水が流れ続けており、そしてその水流によって発電機１２は引続き発電を継続する。
【００５３】
そして主弁体４６が開弁動作した後、設定した閉弁時期に到ると、ここにおいてマイコン２０からの駆動信号及び発電機１２からの電力供給によりプランジャ弁体５８が、図８（ＶＩ）に示しているように閉弁動作し、背圧室５０と下流側内部水路４５ｂとの連通を遮断する。
すると小孔５２を通じて上流側内部水路４５ａの水が背圧室５０に導入されることで背圧室５０内の水圧が増大し、そしてその水圧が所定圧力に達すると、ここにおいて主弁体４６が閉弁動作し、内部水路４５を遮断状態とする。
【００５４】
尚この実施例において、図２の給電装置１０のように発電機１２から第１電磁弁４２及び第２電磁弁４４に対し直接電源供給（給電）するようになすのと併せて、蓄電素子１４からもそれら第１電磁弁４２及び第２電磁弁４４に対し電源供給するようになすことも可能である。
【００５５】
次に図９及び図１０は、図１の給電装置１０を洗浄水タンク内の洗浄水を便器に供給して便器洗浄を行う洗浄装置の給電装置、詳しくは洗浄水タンク底部の洗浄弁を電動モータで開弁動作させて洗浄水供給し、便器洗浄を行う洗浄装置の給電装置に具体的に適用した例を示している。
【００５６】
図９において、６７は内部に洗浄水を蓄える洗浄水タンクで、底部６８に排出口６９が形成されており、その排出口６９がフロート弁（洗浄弁）７０にて開閉されるようになっている。
洗浄水タンク６７の側壁７４には引上レバー７２が回転可能に設けられており、その引上レバー７２の先端とフロート弁７０とが鎖７６にて連結されている。
【００５７】
洗浄水タンク６７の側壁７４にはまた、フロート弁７０を開閉動作させるための電動モータ７８が設けられている。
この電動モータ７８は引上レバー７２を回転動作させるもので、この引上レバー７２が電動モータ７８により大きく回転動作させられると、フロート弁７０が鎖７６を介して上方に大きく持ち上げられ（開弁動作させられ）、ここにおいて排出口６９が大きく開放されて、洗浄水タンク６７内の洗浄水が、排出口６９を通じて一挙に大量に落下排出させられ、便器へと供給されて便器の大洗浄が行われる。
【００５８】
電動モータ７８は引上レバー７２を正逆両方向に回転動作させるようになっており、そして電動モータ７８が引上レバー７２を大洗浄時とは逆方向に比較的小さく回転動作させると、フロート弁７０が僅かに持ち上げられて、洗浄水タンク６７内の洗浄水が排出口６９から上記大洗浄時よりも少量落下排出させられ、便器の小洗浄が行われる。
【００５９】
引上レバー７２には、側壁７４の外側において手動操作レバー８０が一体回転状態に設けられており、この手動操作レバー８０の回転操作によっても、引上レバー７２が正逆両方向に回転動作させられるようになっている。
即ちフロート弁７０は電動モータ７８によっても、また手動操作レバー８０による手動操作によっても開閉動作可能とされている。
尚、８２は洗浄水タンク６７の底部６８から起立する状態で設けられたオーバーフロー管である。
【００６０】
８４は給水パイプ８６を通じて送られて来た洗浄水を洗浄水タンク６７内に給水する給水口で、その上流側において発電機１２が洗浄水タンク６７内部に、また洗浄水タンク６７外部において電気駆動弁としての電磁弁８７を含む電磁弁ユニット８８が側壁７４に設けられている。
ここで電磁弁８７は図３〜図８の第１電磁弁４２と同様のもの、即ち起動弁６０付きの且つラッチ式の電磁弁から成るもので、起動用の手動操作部９０を備えている。
【００６１】
この電磁弁ユニット８８にはまた、蓄電素子１４及びマイコン２０を搭載した基板９１がボックスに備えられており、またリモコンからの光による送信信号を受信する受信部９２が設けられている。
【００６２】
このタンク式の便器の洗浄装置では、フロート弁７０を持ち上げて開弁動作させることによって、洗浄水タンク６７内の洗浄水を排出口６９を通じて落下排出させ、便器に供給して便器の大洗浄或いは小洗浄を行う。
そして排出口６９からの洗浄水の排出分を、給水口８４からの給水によって補給する。
【００６３】
従来のこの種のタンク式の便器の洗浄装置では、先ずフロート弁７０を持ち上げて、排出口６９から洗浄水を落下排出した後、給水口８４から給水を行うが、この例の洗浄装置では先ず給水口８４からの給水を行う。
このとき給水パイプ８６から給水口８４に向う給水路４０の水流によって発電機１２が発電を開始する。
【００６４】
そしてそこで発生した電力を図１０の蓄電素子１４又は電磁弁８７及び電動モータ７８に供給する。
そしてその供給した電力によって電磁弁８７及び電動モータ７８を、蓄電素子１４を経由しないで発電機１２を直接電源として駆動可能となる。
【００６５】
尚給水口８４からの給水は、押ボタン式の手動操作部９０を手動操作し、起動弁６０を開いて電磁弁８７を開弁させることで開始させることができる。
一方電磁弁８７を閉弁させる際には、発電機１２からの電力供給によってこれを行うことができる。
【００６６】
このように先ず給水口８４からの給水を行うことによって、発電機１２の発電により電動モータ７８及び電磁弁８７への給電が可能となり、そこで電動モータ７８の駆動によりフロート弁７０を開弁動作させて、洗浄水タンク６７内の洗浄水の落下排出を行うことができる。
そして一定量の洗浄水の排出を行ったところでフロート弁７０の閉弁により便器への洗浄水の供給（給水）が停止する。
【００６７】
給水口８４からの給水はフロート弁７０が閉弁動作した後も行われており、そして洗浄水タンク６７内の洗浄水が設定した満水位となったところで、電磁弁８７の閉弁動作により給水口８４からの給水が停止する。
その際の電磁弁８７の閉弁動作も、発電機１２から電磁弁８７への電力の直接供給によって行われる。
【００６８】
尚給水口８４からの給水の停止時期は、発電機１２による給水の積算流量の検出に基づいて決定することができる。
発電機１２は水流により水車を回転させて発電を行うものであることから、給水口８４からの給水の積算流量を検出する機能を備えており、そこでこの発電機１２による給水の積算流量の検出に基づいて、給水口８４からの給水の停止時期を決定することができる。
【００６９】
図１０（Ｂ）にこのタンク式の便器の洗浄装置における給電装置１０の構成が具体的に示してある。
同図に示しているようにこの給電装置１０は、図３〜図８の給電装置１０と基本的に同様で、図３〜図８の第１電磁弁４２が電磁弁８７に、また第２電磁弁４４が電動モータ７８に置き換わった点が図３〜図８の給電装置１０と異なっている。
【００７０】
具体的にはこの給電装置１０の場合、図１０（Ｂ）に示しているようにマイコン２０からの信号によってスイッチ素子２４ａがオン動作、スイッチ素子２４ｂ−１，２４ｂ−２がオフ動作することで、発電機１２からの電力が蓄電素子１４に供給される一方、電磁弁８７及び電動モータ７８に対して電力の供給が遮断され、またスイッチ素子２４ａがオフ動作、スイッチ素子２４ｂ−１，２４ｂ−２がオン動作することで、発電機１２からの電力が電磁弁８７及び電動モータ７８に供給される一方、蓄電素子１４に対して電力の供給が遮断される。
【００７１】
以上のような本例の給電装置１０によれば、上記第１電磁弁４２，第２電磁弁４４，電磁弁８７，電動モータ７８のように大電流，大電力を要する負荷の大きな機器であっても、蓄電素子１４を経由しないで発電機１２から直接電力供給できるため、支障なくそれら機器を駆動して便器洗浄を行うことができる。
【００７２】
以上本発明の実施例を詳述したがこれはあくまで一例示である。
例えば本発明は、蓄電素子の電圧ないし蓄電量を検知し、不足があるときにだけ発電機から直接所定の機器に対し電力供給するようになすことも可能であるし、また本発明は上例以外の種々の給水装置における給電装置への適用が可能であるなど、本発明はその趣旨を逸脱しない範囲において種々変更を加えた形態で構成可能である。
【図面の簡単な説明】
【図１】本発明の一実施例の給電装置を示す図である。
【図２】本発明の他の実施例の給電装置を示す図である。
【図３】図１の給電装置を含む便器の洗浄装置を示す図である。
【図４】図３における給電装置の構成を示す図である。
【図５】図３における起動弁付電磁弁（第１電磁弁）の構成を示す図である。
【図６】図５の電磁弁の作用説明図である。
【図７】図６に続く作用説明図である。
【図８】図７に続く作用説明図である。
【図９】タンク式の便器の洗浄装置を示す図である。
【図１０】図９の洗浄装置に適用された給電装置の構成を示す図である。
【図１１】従来の自動水栓とそこに用いられている給電装置の構成を示す図である。
【符号の説明】
１０  給電装置
１２  発電機
１４  蓄電素子
１６ａ，１６ｂ，１６ｂ−１，１６ｂ−２  電源線
２０  マイコン（制御部）
２２  機器
２４ａ，２４ｂ，２４ｂ−１，２４ｂ−２  スイッチ素子
２８  便器
４０  主給水路
４０Ｒ  リム給水路
４０Ｊ  ジェット給水路
４２  第１電磁弁（電気駆動弁）
４４  第２電磁弁（電気駆動弁）
４５  内部水路
４５ａ  上流側内部水路
４５ｂ  下流側内部水路
６７  洗浄水タンク
６８  底部
７０  フロート弁（洗浄弁）
７８  電動モータ
８７  電磁弁（電気駆動弁）
【図１】
2004225494.tif 000003
【図２】
2004225494.tif 000004
【図３】
2004225494.tif 000005
【図４】
2004225494.tif 000006
【図５】
2004225494.tif 000007
【図６】
2004225494.tif 000008
【図７】
2004225494.tif 000009
【図８】
2004225494.tif 000010
【図９】
2004225494.tif 000011
【図１０】
2004225494.tif 000012
【図１１】
2004225494.tif 000013